(57)【要約】  監視対象から監視情報を取得する複数の情報監視部と、複数の情報監視部から取得した監視情報を統合し、利用者に提示する監視情報収集統合部によって構成される分散システム監視システムが開示される。情報監視部は、監視対象から監視情報を取得すると、該監視情報が緊急性の高い監視情報であるか否かを判断する。緊急性の高い監視情報であれば監視情報収集統合部に通知し、そうでなければ監視情報を監視情報保持部に蓄え、監視情報収集統合部から監視情報の要求があるたびに送信する。監視情報収集統合部は、緊急監視情報を受信すると、緊急監視情報と該緊急監視情報が発生した時点までに発生した一般監視情報を統合し、利用者に通知する。また、監視情報収集統合部は、一般監視情報送信要求を定期的に情報監視部に送信し、一般監視情報を情報監視部から受信すると、各情報監視部の一般監視情報を統合し、統合監視情報保持部に保持し、利用者からの監視情報提示要求を受けて、統合監視情報保持部に保持されている一般監視情報を利用者に提示する。
2008117793.tif 000002
【特許請求の範囲】
【請求項１】
各監視対象から監視情報を取得する複数の情報監視部と、
前記複数の情報監視部から監視情報を収集、統合し、利用者に提示する監視情報収集統合部と
を有し、
前記情報監視部は、監視対象から監視情報を取得する監視情報取得手段と、取得した監視情報の緊急性の有無を判定する監視情報判定手段と、緊急性のない監視情報であると判定された一般監視情報を一時的に保持する監視情報保持手段と、緊急性の高い監視情報であると判定された緊急監視情報を前記監視情報収集統合部に送信する緊急監視情報送信手段と、前記監視情報保持手段に保持されている一般監視情報を前記監視情報収集統合部からの要求により前記監視情報収集統合部に送信する一般監視情報送信手段を含み、
前記監視情報収集統合部は、前記緊急監視情報を前記各情報監視部から受信する緊急監視情報受信手段と、前記一般監視情報を前記各情報監視部に要求し、受信する一般監視情報要求・受信手段と、前記緊急監視情報受信手段で受信された緊急監視情報と、前記一般監視情報要求・受信手段を用いて収集された、該緊急監視情報が発生した時点までに発生した一般監視情報の統合を行う緊急監視情報作成手段と、前記一般監視情報と統合された緊急監視情報を利用者に通知する緊急監視情報通知手段と、前記一般監視情報要求・受信手段で定期的に受信された複数の一般監視情報を統合する監視情報統合手段と、該統合された一般監視情報を保持する統合監視情報保持手段と、前記統合監視情報保持手段に保持されている一般監視情報を利用者に提示する監視情報提示手段と、を含む
分散システム監視システム。
【請求項２】
前記監視情報統合手段は、前記複数の一般監視情報を、因果情報を用いて統合する、請求項１に記載の分散システム監視システム。
【請求項３】
前記監視情報統合手段は、前記複数の一般監視情報を、該一般監視情報が発生した時刻情報を利用してそれらの順序関係を整理して、統合する、請求項１に記載の分散システム監視システム。
【請求項４】
各監視対象から監視情報を取得する複数の情報監視部と、前記複数の情報監視部から監視情報を収集、統合し、利用者に提示する監視情報収集統合部とを有する分散システム監視システムで行なわれる分散システム監視方法であって、
前記各情報監視部において、
各監視対象から監視情報を取得することと、
取得した監視情報の緊急性の有無を判定することと、
緊急性のない監視情報であると判定された一般監視情報を一時的に監視情報保持手段に保持することと、
緊急性の高い監視情報であると判定された緊急監視情報を監視情報収集統合部に送信することと、
を有し、
前記監視情報収集統合部において、
前記緊急監視情報を前記各情報監視部から受信することと、
前記緊急監視情報が発生した時点までに当該監視対象で発生した一般監視情報を前記情報監視部から収集することと、
前記緊急監視情報と、該緊急監視情報が発生した時点までに発生した一般監視情報の統合を行うことと、
前記一般監視情報と統合された緊急監視情報を利用者に通知することと、
一般監視情報を前記情報監視部から定期的に収集することと、
前記の定期的に受信された複数の一般監視情報を統合し、統合監視情報保持手段に保持することと、
前記統合監視情報保持手段に保持されている一般監視情報を利用者に提示することと
を有する
分散システム監視方法。
【請求項５】
前記の定期的に受信された複数の一般監視情報を統合することが、前記複数の一般監視情報を、因果情報を用いて統合することを含む、請求項４に記載の分散システム監視方法。
【請求項６】
前記の定期的に受信された複数の一般監視情報を統合することが、前記複数の一般監視情報を、該一般監視情報が発生した時刻情報を利用してそれらの順序関係を整理して、統合することを含む、請求項４に記載の分散システム監視方法。
【請求項７】
監視対象から監視情報を取得する手順と、
取得した監視情報の緊急性の有無を判定する手順と、
緊急性のない監視情報であると判定された一般監視情報を一時的に監視情報保持手段に保持する手順と、
緊急性の高い監視情報であると判定された緊急監視情報を送信する手順と、
前記監視情報保持手段に保持されている一般監視情報を要求により送信する手順と
をコンピュータに実行させるための情報監視プログラムを記録した記録媒体。
【請求項８】
緊急監視情報を受信する手順と、
前記緊急監視情報と、該緊急監視情報が発生した時点までに発生した一般監視情報の統合を行う手順と、
前記一般監視情報と統合された緊急監視情報を利用者に通知する手順と、
一般監視情報を前記情報監視部から定期的に収集する手順と、
前記の定期的に受信された複数の一般監視情報を統合し、統合監視情報保持手段に保持する手順と、
前記統合監視情報保持手段に保持されている一般監視情報を利用者に提示する手順と
をコンピュータに実行させるための監視情報収集統合プログラムを記録した記録媒体。
【請求項９】
前記の定期的に受信された複数の一般監視情報を統合する手順が、前記の定期的に収集された複数の一般監視情報を、因果情報を用いて統合することを含む、請求項８に記載の監視情報収集統合プログラムを記録した記録媒体。
【請求項１０】
前記の定期的に受信された複数の一般監視情報を統合する手順が、前記の定期的に収集された複数の一般監視情報を、該一般監視情報が発生した時刻情報を利用してそれらの順序関係を整理して、統合することを含む、請求項８に記載の監視情報収集統合プログラムを記録した記録媒体。
【発明の詳細な説明】
【技術分野】
【０００１】
本発明はシステムの動作を監視するシステムに関し、特に複数のシステムが協調して動作する分散システムの動作を監視する分散システム監視システムに関する。
【背景技術】
【０００２】
この種の関連する分散システム監視システムの一例が特許文献１に記載されている。【０００３】
図１はこの分散システム監視システムを構成するセンサモジュールの構成を示している。このセンサモジュールは、電源である給電部５０１と、日照計として動作するアプリケーション部５０２と、無線基地局や他のセンサモジュールと通信する通信処理部５０３と、アプリケーション部５０２と通信処理部５０３への電力供給を制御する電力供給制御部５０４と、時刻情報を出力する時計５０４とから構成されている。【０００４】
このような構成を有する、従来の分散システム監視システムは、計測機器（不図示）から得られた観測情報を、給電部５０１から通信処理部５０３への給電が行われるごとに基地局に送信する。
【特許文献１】特開２００５-１３５２８９号公報
【発明の開示】
【発明が解決しようとする課題】
【０００５】
定期的に監視情報を送信する監視システムでは、監視情報が収集されるまでに待ち時間が発生するため、監視情報を迅速に収集できないという問題がある。【０００６】
また、監視情報を情報が取得されるたびに送信する監視システムでは、監視情報が頻繁に送信されるため、監視対象システムに大きな負荷がかかるという問題がある。【０００７】
本発明の目的は、監視対象システムに負荷をかけずに、緊急性の高い監視情報を迅速に収集できる分散システム監視システム、方法、情報監視プログラムを記録した記録媒体、および監視情報統合プログラムを提供することにある。
【課題を解決するための手段】
【０００８】
本発明の分散システム監視システムは、監視対象から監視情報を取得し、これを監視情報収集統合部に通知する情報監視部と、複数の情報監視部から取得した監視情報を統合し、利用者に提示する監視情報収集統合部によって構成される。【０００９】
情報監視部は、監視情報取得手段と、監視情報判定手段と、監視情報保持手段と、緊急監視情報送信手段と、一般監視情報送信手段を含む。【００１０】
監視情報収集統合部は、緊急監視情報受信手段と、一般監視情報要求・受信手段と、緊急監視情報作成手段と、緊急監視情報通知手段と、監視情報統合手段と、統合監視情報保持手段と、監視情報提示手段を含む。【００１１】
情報監視部は、監視情報取得手段によって監視対象から監視情報を取得する。これを監視情報判定部で緊急性の高い監視情報であるか否かを判断する。緊急性の高い監視情報であれば緊急監視情報送信手段によって監視情報収集統合部に通知し、そうでなければ監視情報を監視情報保持手段に蓄え、一般監視情報送信手段から、監視情報収集統合部から監視情報の要求があるたびに送信する。監視情報収集統合部は、緊急監視情報受信手段で緊急監視情報を受信し、緊急監視情報作成手段で緊急監視情報と該緊急監視情報が発生した時点までに発生した一般監視情報を統合し、緊急監視情報通知手段で利用者に通知する。また、監視情報収集統合部は、一般監視情報要求・受信手段から一般監視情報送信要求を定期的に情報監視部に送信する。一般監視情報を情報監視部から受信すると、監視情報統合手段によって各情報監視部の一般監視情報を統合し、統合監視情報保持手段に保持する。また、監視情報収集統合部は、利用者からの監視情報提示要求を受けて、統合監視情報保持手段に保持されている一般監視情報を監視情報提示手段によって利用者に提示する。【００１２】
監視情報を緊急性の高いものとそうでないものに分類し、緊急性の高いものは迅速に監視情報収集統合部に通知する一方、緊急性の低いものは一定時間ごとに監視情報収集統合部に通知することにより、監視の即時性の確保と監視対象システムへの負荷の低減を両立させる。このとき、緊急性の高い監視情報とそれ以外の監視情報に時間差が生じることによる問題が発生しうるため、緊急性の低い監視情報を別途取得することによりこの問題を回避する。【００１３】
本発明は下記のような効果がある。【００１４】
第１に、監視情報を判定し、緊急性の高い監視情報を即座に監視情報収集統合部に通知するため、緊急性の高い監視情報を迅速に収集できる。【００１５】
第２に、監視情報を判定し、緊急性の高くない監視情報を定期的に監視情報収集統合部に通知するため、監視対象システムに大きな負荷をかけずに監視対象システムを監視できる。【００１６】
第３に、監視情報収集統合部が複数の監視対象の監視情報を統合する機能を有しているため、複数の監視対象の監視情報を統合的に監視できる。【００１７】
第４に、緊急監視情報作成手段により、緊急監視情報と一般監視情報を同期させる機能を有しているため、緊急性の高い監視情報とそれ以外の監視情報を統一的に監視できる。
【図面の簡単な説明】
【００１８】
【図１】図１は関連する分散システム監視システムのブロック図である。
【図２】図２は本発明の第１の実施形態の分散システム監視システムの示すブロック図である。
【図３】図３は情報監視部の動作を示す流れ図である。
【図４】図４は監視情報収集統合部の動作を示す流れ図である。
【図５】図５は監視情報収集統合部の動作を示す流れ図である。
【図６】図６は監視情報収集統合部の動作を示す流れ図である。
【図７】図７は本発明の第２の実施形態の分散システム監視システムの示すブロック図である。
【図８】図８は監視対象の具体例を示す図である。
【図９】図９は監視情報収集統合部の因果情報保持部にあらかじめ登録される因果情報を示す図である。
【図１０】図１０は監視対象１、２で発生する処理を示す図である。
【図１１】図１１は、図１０に示す、監視対象１、２で発生する処理に伴って監視情報取得部が収集する情報を示す図である。
【図１２】図１２は、統合監視情報保持部に順序関係を整理して保持される、対応する原因に相当する情報が存在することが確認された情報を示す図である。
【図１３】図１３は、監視対象１、で引き続き発生する処理を示す図である。
【図１４】図１４は、監視情報取得部が収集し、監視情報判定部が一般監視情報と判断して監視情報保持部に保持する情報を示す図である。
【図１５】図１５は、統合監視情報保持部に順序関係を整理して保持される、因果情報の結果に相当する情報に、対応する原因に相当する情報が存在することが確認された情報を示す図である。
【図１６】図１６は、監視対象１、２でさらに引き続き行なわれる処理を示す図である。
【図１７】図１７は、図１６の処理に伴って、統合監視情報保持部に順序関係を整理して保持される情報を示す図である。
【図１８】図１８は、監視対象１、２が処理３を行なっているときにタイムアウトが発生した様子を示す図である。
【図１９】図１９は、処理３を行なっているときにタイムアウトが発生したときに監視情報保持部に保持されている観測情報を示す図である。
【図２０】図２０は、監視情報統合部によって統合監視情報保持部に蓄えられる一般監視情報を示す図である。
【符号の説明】
【００１９】
１，２，１０−１，１０−２    監視対象
２０−１，２０−２    情報監視部
２１    監視情報取得部
２２    監視情報判定部
２３    監視情報保持部
２４    緊急監視情報送信部
２５    一般監視情報送信部
３０,３０’    監視情報収集統合部
３１    緊急監視情報受信部
３２    一般監視情報要求・受信部
３３    緊急監視情報作成部
３４    監視情報統合部
３５    因果情報保持部
３６    統合監視情報保持部
３７    緊急監視情報通知部
３８    監視情報提示部
【発明を実施するための最良の形態】
【００２０】
次に、本発明を実施するための最良の形態について図面を参照して詳細に説明する。【００２１】
図２を参照すると、本発明の第１の実施の形態の分散システム監視システムは、それぞれ監視対象１０−１，１０−２から監視情報を取得し、これを監視情報収集統合部３０に通知する情報監視部２０−１，２０−２と、情報監視部２０−１，２０−２から取得した監視情報を統合し、利用者に提示する監視情報収集統合部３０とから構成されている。【００２２】
情報監視部２０−１，２０−２はいずれも、監視情報取得部２１と監視情報判定部２２と監視情報保持部２３と緊急監視情報送信部２４と一般監視情報送信部２５とを含む。【００２３】
監視情報収集統合部３０は緊急監視情報受信部３１と一般監視情報要求・受信部３２と緊急監視情報作成部３３と監視情報統合部３４と因果情報保持部３５と統合監視情報保持部３６と緊急監視情報通知部３７と監視情報提示部３８とを含む。【００２４】
これらの各部はそれぞれ概略次のように動作する。【００２５】
監視情報取得部２１は、監視対象１０−１，１０−２０の動作を監視して監視情報を収集し、監視情報判定部２２に通知する。監視情報判定部２２は、該監視情報が緊急性の高いものであるか否かを判断し、緊急性の高い監視情報（緊急監視情報）であれば緊急監視情報送信部２４に通知し、そうでなければ該監視情報（一般監視情報）を監視情報保持部２３に蓄える。監視情報保持部２３は、監視情報判定部２２で判定された一般監視情報を蓄える。緊急監視情報送信部２４は、監視情報判定部２２で判定された緊急監視情報を緊急監視情報受信部３１に送信する。一般監視情報送信部２５は、監視情報保持部２３に蓄えられた一般監視情報を一般監視情報要求・受信部３２からの要求に応じて一般監視情報要求・受信部３２に送信する。【００２６】
緊急監視情報受信部３１は、各緊急監視情報送信部２４から受信した緊急監視情報を緊急監視情報作成部３３に通知する。一般監視情報要求・受信部３２は、各一般監視情報送信部２５に一般監視情報を定期的に要求し、取得された一般監視情報を監視情報統合部３４に通知する。また、一般監視情報要求・受信部３２は、緊急監視情報作成部３３からの要求により、通知された緊急監視情報が発生した時点までに当該監視対象で発生した一般監視情報を一般監視情報送信部２５から受信し、緊急監視情報作成部３３に通知する。緊急監視情報作成部３３は、緊急監視情報受信部３１で得られた緊急監視情報と、一般監視情報要求・受信部３２で受信された、該緊急監視情報が発生した時点までに発生した一般監視情報を統合し、結果を統合監視情報保持部３６に蓄えるとともに、緊急監視情報通知部３７を用いて利用者に通知する。監視情報統合部３４は、複数の情報監視部２０-１，２０−２から定期的に得られた一般監視情報を、因果情報を用いて統合し、統合監視情報保持部３６に蓄える。因果情報保持部３５は、因果情報を保持する。統合監視情報保持部３６は、統合監視情報を保持する。緊急監視情報通知部３７は、緊急監視情報作成部３３で作成された緊急監視情報を利用者に通知する。監視情報提示部３８は、統合監視情報保持部３６に保持されている、監視情報統合部３４で統合された一般監視情報を、因果情報保持部３５に保持されている因果情報と関連付けて利用者に提示する。【００２７】
次に、図２および図３〜６のフローチャートを参照して本実施形態の全体の動作について詳細に説明する。【００２８】
まず、監視対象１０−１，１０−２の動作を監視している監視情報取得部２１が、監視情報を検知する（図３のステップ１０１）。次に、監視情報判定部２２は、監視情報を分析し、監視情報が緊急性の高い緊急監視情報であるか否かを判断する（ステップ１０２）。監視情報が緊急監視情報である場合、緊急監視情報送信部２４は緊急監視情報を緊急監視情報受信部３１に通知する（ステップ１０４）。監視情報が緊急性の高いものでない一般監視情報の場合、一般監視情報は監視情報保持部２３に蓄積される（ステップ１０３）。【００２９】
また、緊急監視情報受信部３１が緊急監視情報を受信すると（図４のステップ２０１）、緊急監視情報作成部３３は一般監視情報要求・受信部３２を通じて、全ての一般監視情報送信部２５に対し一般監視情報要求を送信する（ステップ２０２）。一般監視情報送信部２５は、この要求に応じて監視情報保持部２３に蓄えられた一般監視情報を一般監視情報要求・受信部３２に送信する。全ての情報監視部２０-１，２０−２から一般監視情報を収集すると、緊急監視情報作成部３３は、受信された緊急監視情報に、収集された、該緊急監視情報が発生した時点までに発生した一般監視情報を統合し、統合監視情報保持部３６に蓄える（ステップ２０３）。ここで、ステップ２０１で受信した緊急監視情報が発生した時点までに当該監視対象で発生した一般監視情報が全て統合監視情報保持部３０６に蓄えられているかを判定する（ステップ２０４）。蓄えられていない場合、ステップ２０２から処理を再度繰り返す。蓄えられている場合、緊急監視情報通知部３７は緊急監視情報と、該緊急監視情報が発生した時点までに発生した一般監視情報を利用者に通知する（ステップ２０５）。これにより、利用者は緊急監視情報と、緊急監視情報が発生した時点での当該監視対象の状況を把握することができる。【００３０】
また、監視情報収集統合部３０で一定時間が経過すると（図５のステップ３０１）、一般監視情報要求・受信部３２は、全ての一般監視情報送信部２５に対し一般監視情報要求を送信する（ステップ３０２）。一般監視情報送信部２５は、この要求に応じて監視情報保持部２３に蓄えられた一般監視情報を一般監視情報要求・受信部３２に通知する。全ての情報監視部２０-１，２０−２から一般監視情報が収集されると、監視情報統合部３４はこれらの順序関係を、因果情報保持部３５に保持されている因果情報を利用して整理し、統合監視情報保持部３６に蓄える（ステップ３０３）。【００３１】
また、利用者が監視情報提示部３８に監視情報の提示を要求すると（図６のステップ４０１）、監視情報提示部３８は統合監視情報保持部３６に保持されている監視情報を、因果情報保持部３５に保持されている因果情報と関連付けて（ステップ４０２）、利用者に提示する（ステップ４０３）。【００３２】
なお、本実施形態では、情報監視部の数は２であるが、３以上であってもよい。【００３３】
次に、本実施形態の効果について説明する。【００３４】
本実施形態では、情報監視部２０-１，２０−２が緊急監視情報と一般監視情報を異なる経路で監視情報収集統合部３０に通知するように構成されているため、緊急監視情報を迅速に監視情報収集統合部３０に通知するとともに、監視情報の通知負荷により監視対象に大きな影響を与えない。【００３５】
また、本実施形態では、情報監視部２０-１，２０−２が複数の監視対象の監視情報を収集し、監視情報収集統合部３０が因果情報によって複数の監視情報を統合するように構成されているため、複数の監視対象の監視情報を統合して利用者に提示できる。【００３６】
また、本実施形態では、情報監視部２０-１，２０−２が緊急監視情報の通知時に該緊急監視情報が発生した時点までの一般監視情報を収集し、監視情報収集統合部３０が緊急監視情報と一般監視情報を同期させるように構成されているため、緊急監視情報とそれ以外の一般監視情報を統一的に利用者に提示できる。【００３７】
図７を参照すると、本発明の第２の実施形態の分散システム監視システムは、監視対象１０−１，１０−２から監視情報を取得し、これを監視情報収集統合部３０’に通知する情報監視部２０−１，２０−２と、情報監視部２０−１，２０−２から取得した監視情報を統合し、利用者に提示する監視情報収集統合部３０’とから構成されている。【００３８】
情報監視部２０−１，２０−２は第１の実施形態の情報監視部２０−１，２０−２と同じ構成である。【００３９】
監視情報収集統合部３０’は緊急監視情報受信部３１と一般監視情報要求・受信部３２と緊急監視情報作成部３３と監視情報統合部３４’と統合監視情報保持部３６と緊急監視情報通知部３７と監視情報提示部３８とを含み、第１の実施形態の監視情報収集統合部３０とは、因果情報保持部３５がなく、監視情報統合部３４’の処理が第１の実施形態における監視情報統合部３４と一部異なっている。すなわち、監視情報統合部３４’は、全ての情報監視部２０−１，２０−２から一般監視情報を収集すると、これら一般監視情報を、その発生した時刻情報を利用して順序関係を整理して、統合監視情報保持部３０６に蓄える。これにより、利用者は一般監視情報が発生した時点での監視対象全体の状況を把握することができる。【００４０】
次に、本実施形態の効果について説明する。【００４１】
本実施形態では、情報監視部２０-１，２０−２が緊急監視情報と一般監視情報を異なる経路で監視情報収集統合部３０’に通知するように構成されているため、緊急監視情報を迅速に監視情報収集統合部３０’に通知するとともに、監視情報の通知負荷により監視対象に大きな影響を与えない。【００４２】
また、本実施形態では、監視情報収集統合部３０’が複数の監視対象の監視情報を収集し、統合するように構成されているため、複数の監視対象の監視情報を統合して利用者に提示できる。【００４３】
また、本実施形態では、監視情報収集統合部３０’複数の監視対象の監視情報間の関係を、監視情報の発生時刻の情報をもとに、たとえば発生時刻の順に統合するように構成されているため、時刻情報が正確であれば複数の監視対象間の関係情報がなくても監視情報を統合して利用者に提示できる。【００４４】
また、本実施形態では、情報監視部２０-１，２０−２が緊急監視情報の通知時に一般監視情報を収集し、監視情報収集統合部３０’が緊急監視情報と一般監視情報を同期させるように構成されているため、緊急監視情報とそれ以外の一般監視情報を統一的に利用者に提示できる。【００４５】
次に、具体例を用いて本実施形態の動作を説明する。【００４６】
図８に示すように、２つの監視対象１，２が存在し、それぞれで処理が行われるとともに、２つの監視対象１，２間の関連（処理２から処理Ｂへ、処理Ｃから処理３へ）が存在するシステムを監視するものとする。【００４７】
この場合、監視対象１、２のそれぞれに情報監視部２０-１,２０−２が配置される。情報監視部２０−１，２０−２では、各システムの処理の開始と終了、他のシステムとのメッセージの送受信を監視し、これらを一般監視情報として検知するものとする。さらに、各処理が開始してから一定時間が経過しても処理が終了しなかった場合、タイムアウトが発生したものとし、これを緊急監視情報として検知するものとする。【００４８】
また、監視情報収集統合部３０の因果情報保持部３５には、図９のような因果情報をあらかじめ登録する。【００４９】
ここで、監視対象１、２で図１０のような処理が発生すると、監視情報取得部２１は図１１のような情報を収集し、監視情報判定部２２がこれらを一般監視情報と判断して監視情報保持部２３に保持する。これに対し、一定時間の経過ごとに一般監視情報要求・受信部３２が監視対象１、２の一般監視情報送信部２５に対し一般監視情報要求を送信する。一般監視情報送信部２５は監視情報保持部２３に蓄えられた図１１の情報を一般監視情報要求・受信部３２に通知する。監視情報統合部３４は、これらの一般監視情報を因果情報保持部３５の因果情報を元に分析し、因果情報の結果に相当する情報に、対応する原因に相当する情報が存在することを確認する。確認された情報については、図１２のように統合監視情報保持部３６に順序関係を整理して保持される。ここで、監視情報取得部２１における遅延などにより、一般１−４の観測情報が取得できなかった場合を考えると、因果情報により一般２−４の観測情報の原因となる観測情報が取得されていないことが分析される。この時点では、この現象が観測対象の不具合であるか監視情報取得部２１の遅延によるものであるのかが不明であるため、一般２−４の観測情報の処理は保留され、次回の一般監視情報の取得時に再度監視情報統合部３４によって分析される。【００５０】
引き続き監視対象１、２で図１３のように処理が行われると、監視情報取得部２１は図１４のような情報を収集し、監視情報判定部２２がこれらを一般監視情報と判断して監視情報保持部２３に保持する。次に、一般監視情報要求・受信部３２が監視対象１、２の一般監視情報送信部２５に対し一般監視情報要求を送信し、一般監視情報送信部２５は監視情報保持部２３に蓄えられた図１４の情報を一般監視情報要求・受信部３２に通知する。監視情報統合部３４は、これらの一般監視情報を因果情報保持部３５の因果情報を元に分析し、因果情報の結果に相当する情報に、対応する原因に相当する情報が存在することを確認する。確認された情報については、図１５のように統合監視情報保持部３６に順序関係を整理して保持される。さらに引き続き監視対象１、２で図１６のように処理が最後まで行われると、同様にして図１７のように統合監視情報保持部３６に順序関係を整理して保持される。【００５１】
また、同じ監視対象１，２が図１０、図１２のような状態であった後、図１８のように、処理３でタイムアウトが発生した場合を考える。このとき、監視情報保持部２３には図１９のような観測情報が保持されている。監視情報判定部２２は、タイムアウトを緊急監視情報と判定するため、この監視情報は緊急監視情報送信部２４によって緊急監視情報受信部３１に送られる。次に、緊急監視情報作成部３３が一般監視情報要求・受信部３２を通じて、全ての一般監視情報送信部２５に対し一般監視情報要求を送信し、図１９のような監視情報保持部２３に蓄えられた一般監視情報を取得する。この一般監視情報は監視情報統合部３４によって図２０のように統合監視情報保持部３６に蓄えられる。これにより、統合監視情報保持部３６に緊急監視情報が発生した時点の一般監視情報が保持されたため、緊急監視情報通知部３７は緊急監視情報を利用者に通知する。【００５２】
上記の任意の時点において、利用者が監視情報提示部３８に監視情報の提示を要求することができ、監視情報提示部３８は因果情報保持部３５、統合監視情報保持部３６の情報から利用者に提示する情報を作成し、利用者に提示する。提示される情報の形式の一例としては、図１２、図１５、図２０がある。【００５３】
なお、情報監視部および監視情報収集統合部の機能は、その機能を実現するためのプログラムを、コンピュータ読み取り可能な記録媒体に記録して、この記録媒体に記録されたプログラムをコンピュータに読み込ませ、実行するものであってもよい。コンピュータ読み取り可能な記録媒体とは、フレキシブルディスク、光磁気ディスク、ＣＤ−ＲＯＭ等の記録媒体、コンピュータシステムに内蔵されるハードディスク装置等の記憶装置を指す。さらに、コンピュータ読み取り可能な記録媒体は、インターネットを介してプログラムを送信する場合のように、短時間、動的にプログラムを保持するもの（伝送媒体もしくは伝送波）、その場合のサーバとなるコンピュータ内の揮発性メモリのように、一定時間プログラ
ムを保持しているものを含む。【００５４】
以上本発明の好ましい実施形態を特定の用語を用いて説明したが、そのような記載は例示のみを目的としており、種々の変形および修正が以下の特許請求の範囲から外れることなく可能であることが理解されるべきである。【００５５】
この出願は、２００７年３月２８日に出願された日本出願特願２００７−０８４５６８を基礎とする優先権を主張し、その開示の全てをここに取り込む。
【産業上の利用可能性】
【００５６】
本発明によれば、複数のシステムが連携して動作するシステム全体を統一的に監視するといった用途に適用できる。
【図１】
2008117793.tif 000003
【図２】
2008117793.tif 000004
【図３】
2008117793.tif 000005
【図４】
2008117793.tif 000006
【図５】
2008117793.tif 000007
【図６】
2008117793.tif 000008
【図７】
2008117793.tif 000009
【図８】
2008117793.tif 000010
【図９】
2008117793.tif 000011
【図１０】
2008117793.tif 000012
【図１１】
2008117793.tif 000013
【図１２】
2008117793.tif 000014
【図１３】
2008117793.tif 000015
【図１４】
2008117793.tif 000016
【図１５】
2008117793.tif 000017
【図１６】
2008117793.tif 000018
【図１７】
2008117793.tif 000019
【図１８】
2008117793.tif 000020
【図１９】
2008117793.tif 000021
【図２０】
2008117793.tif 000022
【国際調査報告】
2008117793.tif 000023
2008117793.tif 000024